(57)【要約】【課題】オートポップアップ機能が働くオート撮影モードでの撮影において、ユーザの意思による強制発光または発光禁止とする操作を簡素化したカメラを提供する。【解決手段】本発明に係わるカメラ（１）は、格納位置と発光位置との間で移動可能な発光部（１６）と、輝度検出手段（１４）と、被写体輝度が前記発光部に前記照明光を発光させるべき輝度未満であるか否かの判定基準となる判定基準値を記憶する記憶手段（１９）と、前記輝度検出手段で検出された前記被写体輝度が前記判定基準値未満であるか否かを判定する判定手段（１５）と、前記判定手段で前記被写体輝度が前記判定基準値以上と判定された場合は前記発光部を前記格納位置のまま移動させず、前記被写体輝度が前記判定基準値未満と判定された場合は前記発光部を前記格納位置から前記発光位置に移動させる移動制御手段（１５）と、前記判定基準値を変更する変更手段（１５）とを備える。【選択図】図１
2010249879.tif 000002
【特許請求の範囲】
【請求項１】
照明光を発光不能な格納位置と、前記照明光を発光可能な発光位置との間で移動可能な発光部と、
被写体の輝度を検出する輝度検出手段と、
前記被写体輝度が前記発光部に前記照明光を発光させるべき輝度未満であるか否かの判定基準となる輝度値である判定基準値を記憶する記憶手段と、
前記輝度検出手段で検出された前記被写体輝度が、前記判定基準値未満であるか否かを判定する判定手段と、
前記判定手段において前記被写体輝度が前記判定基準値以上と判定された場合には前記発光部を前記格納位置のまま移動させず、前記被写体輝度が前記判定基準値未満と判定された場合には前記発光部を前記格納位置から前記発光位置に移動させる移動制御手段と、
前記判定基準値を変更する変更手段と、
を備えることを特徴とするカメラ。
【請求項２】
請求項１に記載のカメラであって、
前記記憶手段は、前記判定基準値と比較するための所定基準値を予め記憶しており、
前記変更手段により、前記判定基準値が前記所定基準値よりも低輝度側に変更された場合には、撮影時の撮像感度を上げて露出制御を行う露出制御手段を備えること、
を特徴とするカメラ。
【請求項３】
請求項１または２に記載のカメラであって、
前記変更手段は、
外部操作可能な操作部材への操作に応じて、前記判定基準値を任意の値に変更すること、
を特徴とするカメラ。
【請求項４】
請求項１〜３のいずれか一項に記載のカメラであって、
前記変更手段は、
前記移動制御手段が前記発光部を前記格納位置から前記発光位置に移動させたにもかかわらず、該発光部が発光を行う前にユーザ操作により前記格納位置に戻された場合には、前記記憶手段に記憶している前記判定基準値を低輝度側に変更し、
前記移動制御手段が前記発光部を前記格納位置のまま移動させないように制御したにもかかわらず、ユーザ操作により前記発光部が該格納位置から前記発光位置に移動された場合には、前記記憶手段に記憶している前記判定基準値を高輝度側に変更すること、
を特徴とするカメラ。
【請求項５】
請求項４に記載のカメラであって、
ユーザに制御の有効無効を選択させるための確認画面を表示する表示手段を備え、
前記変更手段は、
前記記憶手段に記憶している前記判定基準値を書き換える前に、当該変更手段による該判定基準値の変更を有効とするか無効とするかを確認するための確認画面を前記表示手段に表示させ、
当該変更手段による変更を有効とするユーザ操作が入力されたときは、前記記憶手段に記憶している判定基準値を変更された値に書き換え、当該変更手段による変更を無効とするユーザ操作が入力されたときは、前記記憶手段に記憶している判定基準値の書き換えを実行しないこと、
を特徴とするカメラ。
【発明の詳細な説明】
【技術分野】
【０００１】
本発明は、オートポップアップ機能を備えたカメラに関するものである。
【背景技術】
【０００２】
従来、格納位置と発光位置との間で上下に可動する発光部をファインダの上部などに配置したカメラが知られている。このようなカメラをオート撮影モードに設定すると、被写体の輝度が低い場合に発光部を格納位置から発光位置に自動的にポップアップするオートポップアップ機能が働き、発光部が自動発光するようになっている。このオートポップアップ機能を備えたカメラに関しては、従来より種々の提案がなされている（例えば、特許文献１〜３参照）。
【先行技術文献】
【特許文献】
【０００３】
【特許文献１】特開平６−３０８５８１号公報
【特許文献２】特開平８−２７１９４９号公報
【特許文献３】特開２００３−１９５３９５号公報
【発明の概要】
【発明が解決しようとする課題】
【０００４】
ところで、オート撮影モードでは、上記のようなオートポップアップ機能が働かない方がよい場合もある。例えば、周囲光を活かした撮影をしたい場合やフラッシュ撮影禁止の場所で撮影する場合などである。この場合は、ポップアップした発光部を格納位置まで手で押し込むことにより発光禁止とすることができる。また、オートポップアップ機能を積極的に働かせたい場合もある。例えば、被写体の明るさに関係なくフラッシュ撮影したい場合や逆光で撮影する場合などである。この場合は、発光部のロック解除ボタンを押すことにより、発光部をポップアップさせることができる。
しかしながら、これらの操作は1回の撮影毎に行う必要があるため、従来のオートポップアップ機能を備えたカメラのオート撮影モードによる撮影では、撮影者であるユーザの意思により強制発光または発光禁止とする操作が煩雑なものとなっていた。
【０００５】
本発明の課題は、オートポップアップ機能が働くオート撮影モードでの撮影において、ユーザの意思による強制発光または発光禁止とする操作を簡素化することができるカメラを提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、照明光を発光不能な格納位置と、前記照明光を発光可能な発光位置との間で移動可能な発光部（１６）と、被写体の輝度を検出する輝度検出手段（１４）と、前記被写体輝度が前記発光部に前記照明光を発光させるべき輝度未満であるか否かの判定基準となる輝度値である判定基準値を記憶する記憶手段（１９）と、前記輝度検出手段で検出された前記被写体輝度が、前記判定基準値未満であるか否かを判定する判定手段（１５）と、前記判定手段において前記被写体輝度が前記判定基準値以上と判定された場合には前記発光部を前記格納位置のまま移動させず、前記被写体輝度が前記判定基準値未満と判定された場合には前記発光部を前記格納位置から前記発光位置に移動させる移動制御手段（１５）と、前記判定基準値を変更する変更手段（１５）とを備えることを特徴とするカメラ（１）である。
請求項２に記載の発明は、請求項１に記載のカメラ（１）であって、前記記憶手段（１９）は、前記判定基準値と比較するための所定基準値を予め記憶しており、前記変更手段（１５）により、前記判定基準値が前記所定基準値よりも低輝度側に変更された場合には、撮影時の撮像感度を上げて露出制御を行う露出制御手段（１５）を備えることを特徴とする。
請求項３に記載の発明は、請求項１または２に記載のカメラ（１）であって、前記変更手段（１５）は、外部操作可能な操作部材（７）への操作に応じて、前記判定基準値を任意の値に変更することを特徴とする。
請求項４に記載の発明は、請求項１〜３のいずれか一項に記載のカメラ（１）であって、前記変更手段（１５）は、前記移動制御手段（１５）が前記発光部（１６）を前記格納位置から前記発光位置に移動させたにもかかわらず、該発光部が発光を行う前にユーザ操作により前記格納位置に戻された場合には、前記記憶手段（１９）に記憶している前記判定基準値を低輝度側に変更し、前記移動制御手段が前記発光部を前記格納位置のまま移動させないように制御したにもかかわらず、ユーザ操作により前記発光部が該格納位置から前記発光位置に移動された場合には、前記記憶手段に記憶している前記判定基準値を高輝度側に変更することを特徴とする。
請求項５に記載の発明は、請求項４に記載のカメラ（１）であって、ユーザに制御の有効無効を選択させるための確認画面を表示する表示手段（１８）を備え、前記変更手段（１５）は、前記記憶手段（１９）に記憶している前記判定基準値を書き換える前に、当該変更手段による該判定基準値の変更を有効とするか無効とするかを確認するための確認画面を前記表示手段に表示させ、当該変更手段による変更を有効とするユーザ操作が入力されたときは、前記記憶手段に記憶している判定基準値を変更された値に書き換え、当該変更手段による変更を無効とするユーザ操作が入力されたときは、前記記憶手段に記憶している判定基準値の書き換えを実行しないことを特徴とする。
なお、符号を付して説明した構成は、適宜改良してもよく、また、少なくとも一部を他の構成物に代替してもよい。
【発明の効果】
【０００７】
本発明によれば、オートポップアップ機能が働くオート撮影モードでの撮影において、ユーザの意思による強制発光または発光禁止とする操作を簡素化することができるカメラを提供することができる。
【図面の簡単な説明】
【０００８】
【図１】実施形態に係わるカメラの構成を示すブロック図である。
【図２】カメラの外観を示す斜視図である。
【図３】カメラの背面図である。
【図４】判定基準値を変更する際に表示される設定画面の一例を示す説明図である。
【図５】判定基準の自動変更の有効無効を選択する際に表示される確認画面の一例を示す説明図である。
【図６】実施形態のカメラにおいてオート撮影モードで撮影する場合の処理手順を示すフローチャートである。
【発明を実施するための形態】
【０００９】
以下、図面を参照して、本発明に係わるカメラの実施形態について説明する。なお、本実施形態の説明では、発光部から被写体に対し照明光を照射して撮影することをフラッシュ撮影という。
【００１０】
図１は、本実施形態に係わるカメラ１の構成を示すブロック図である。また、図２はカメラ１の外観を示す斜視図、図３はカメラ１の背面図である。図１に示すように、カメラ１は、被写体光が入射する撮像部１１と、撮像部１１から出力された画像信号に各種処理を行う画像データ処理部１２と、処理された画像信号を記録する記録部１３と、被写体の輝度を検出する測光部１４とを備えている。また、カメラ１は、カメラ内の各部を制御するＭＣＵ１５と、被写体に照明光を照射する発光部１６と、ユーザが操作を行う操作部１７と、液晶モニタ１８と、メモリ１９とを備える。なお、カメラ１には、後述するように、撮影レンズを備えたレンズ鏡筒が着脱可能に装着される。すなわち、本実施形態のカメラ１はデジタル一眼レフカメラとして構成されている。
【００１１】
撮像部１１は、被写体からの反射光を撮像面で撮像し、画像信号に変換するものであり、ＣＣＤやＣＭＯＳなどの撮像素子を備える。
【００１２】
画像データ処理部１２は、撮像部１１から出力された画像信号を増幅し、ホワイトバランス調整、ガンマ補正、輪郭強調、レベル調整などの各種画像処理を行うものである。
【００１３】
記録部１３は、画像データ処理部１２で各種の処理が施された画像信号を、図示しないＣＦカード、ＳＤカードなどの記録媒体に記録するものである。
【００１４】
測光部１４は、被写体の輝度（明るさ）を検出して測光値を取得するものである。本発明をコンパクトカメラなどに適用した場合は、撮像部で撮像された画像信号に基づいて被写体の輝度が検出されることになる。
【００１５】
発光部１６は、被写体の輝度が基準値よりも低い場合に、ＭＣＵ１５の制御により被写体に対して照明光を発光するものである。発光部１６は、図示しないコンデンサ、充電制御回路、閃光回路などの内部回路と、プロテクタ、キセノン管、リフレクタなどの外部部品により構成されている。
【００１６】
ここで、発光部１６の構成とポップアップ機能を図２を用いて説明する。図２に示すように、カメラ１は、撮影レンズを備えたレンズ鏡筒２が着脱可能に装着されるレンズ交換式のデジタル一眼レフカメラであり、発光部１６はファインダ３（図３）の上部に配置されている。この発光部１６は、通常は照明光を発光不能な格納位置(図中実線で示す位置)に収納されている。そして、オート撮影モードにおいて、被写体の輝度が基準値よりも低い場合にＭＣＵ１５の制御により自動的に発光位置までポップアップし、またはユーザがロック解除ボタンであるポップアップボタン４を指などで押す操作をすることでポップアップするようになっている。
【００１７】
発光部１６は、ポップアップ時には、照明を発光可能な発光位置（図中一点鎖線で示す位置）まで上方に移動するように構成されている。発光部１６は不図示の支持軸に装着されたバネにより上方に付勢されている。また、格納位置ではポップアップボタン４と連動する不図示のラッチ部と、発光部１６に設けられた不図示のラッチ部とが係合して、発光部１６を格納位置に止めている。上記ラッチ部同士の係合はポップアップボタン４を押す操作またはＭＣＵ１５の制御により解除される。
【００１８】
すなわち、ユーザがポップアップボタン４を押す操作をすると、上記ラッチ部同士の係合が解除されて、発光部１６は上記のバネに付勢されてポップアップし、発光位置まで移動するようになっている。また、オート撮影モードにおいて被写体の輝度が基準値よりも低い場合は、ＭＣＵ１５の制御により上記ラッチ部同士の係合が解除される。これにより、発光部１６は上記のバネに付勢されてポップアップし、発光位置まで移動するようになっている。
【００１９】
また、ユーザがポップアップした発光部１６を格納位置まで手で押し込むと、上記ラッチ部同士が係合して、発光部１６は格納位置に収納されることになる。オート撮影モード時に、ユーザがこのような操作を行うことによって、発光部１６を発光禁止にすることができる。また、図２には示していないが、発光部１６には発光部位置検出部１６ａ（図１）が設けられている。この発光部位置検出部１６ａは、発光部１６が格納位置または発光位置のいずれにあるかを検出するものである。各位置での検出信号はＭＣＵ１５へ送信される。
【００２０】
操作部１７は、ユーザがＭＣＵ１５に対して各種の操作を行うための入力手段であり、上記のポップアップボタン４のほか、次に説明する撮影開始のレリーズボタン６、セレクタダイアル７などを含む操作部材により構成されている。
【００２１】
レリーズボタン６は、図２に示すように、ユーザがカメラ１を保持するグリップ５の上部に設けられている。このレリーズボタン６は、半押しおよび全押しの２段階の操作が可能となっている。ユーザがレリーズボタン６を半押しすることにより、ＭＣＵ１５に対してオートフォーカス（ＡＦ）動作の実行信号が送信される。これにより、ＭＣＵ１５は撮像部１１の出力に基づいて、自動的に主要な被写体にピント合わせを行うＡＦ制御や、自動的に露出を合わせるＡＥ（自動露出）制御を行う。そして、ユーザがレリーズボタン６を全押しすることにより、ＭＣＵ１５に対して撮影開始信号が送信され、不図示の絞り機構やシャッタなどが所定のタイミングで駆動されることにより、撮像部１１において被写体光が撮像されることになる。
【００２２】
セレクタダイアル７は、図３に示すように、液晶モニタ１８の近傍に配置されている。なお、液晶モニタ１８の上部には、ユーザが接眼状態で被写体像を観察するファインダ３が配置されている。また、液晶モニタ１８の周囲には各種のボタン、ダイアルなどが配置されている（各ボタンやダイアルなどの説明を省略する）。
【００２３】
セレクタダイアル７は、上下左右の４方向と中央に不図示の電気接点を持つダイアル形のスイッチであり、液晶モニタ１８に表示された設定画面において、カーソルや選択枠などの移動方向を指示するための操作部材として機能する。ユーザが上下左右に刻印されている矢印マーク７ａを指などで押すことにより、その押された矢印マーク７ａの方向が液晶モニタ１８に表示されたカーソルや選択枠などの移動方向となる。例えば、矢印マーク７ａの部分が１回押されると、液晶モニタ１８に表示されているカーソルの位置が押された方向に１つだけ移動する、というものである。また、中央に配置されたＯＫボタン７ｂは確定ボタンとして機能する。このＯＫボタン７ｂが押されると、その時点での選択内容で入力が確定したことになる。
【００２４】
液晶モニタ１８は、撮像部１１で撮影された静止画像、ライブビュー画像を含む動画のほか、露出値などの撮影条件に関連した情報、メニュー画面やモード設定画面などの操作に関連した情報画面、各種メッセージなどを表示するものであり、後述するように、カメラ１の背面に設けられている。
【００２５】
メモリ１９は、ユーザ設定などの入力情報、カメラ１の動作や制御に必要なプログラム、このプログラムの実行に必要な初期値や設定値などに関するデータが記憶される不揮発性メモリである。このメモリ１９には、後述する判定基準値および所定基準値が記憶される。また、図示していないが、ＭＣＵ１５などが演算処理を実行する際に必要なデータや画像信号などが一時的に記憶される揮発性メモリを備えている。
【００２６】
ＭＣＵ１５は、カメラ１全体を制御するものであり、撮像部１１、画像データ処理部１２、記録部１３、測光部１４、発光部１６、操作部１７、液晶モニタ１８およびメモリ１９と接続されている。ＭＣＵ１５は、ユーザがレリーズボタン６を半押しすることによりオートフォーカス（ＡＦ）動作の実行信号が送信されると、撮像部１１の出力に基づいて、自動的に主要な被写体にピント合わせを行うＡＦ制御と、自動的に露出を合わせるＡＥ（自動露出）制御とを行う。そして、ユーザがレリーズボタン４を全押しすることにより撮影開始信号が送信されると、不図示の絞り機構やシャッタなどを所定のタイミングで駆動して、撮像部１１において被写体光を撮像させる制御を行っている。
【００２７】
また、ＭＣＵ１５では、オート撮影モードでの撮影時に、測光した被写体の輝度が後述する判定基準値よりも低い場合には、発光部１６をポップアップさせるとともに、被写体の輝度に応じて照明光の発光時間を演算により求めている。そして、撮像部１１での撮像開始に同期して、演算により求めた照明光の発光時間により発光部１６から被写体に向けて照明光を照射するように制御している。
【００２８】
また、ＭＣＵ１５は、測光部１４で検出された被写体の輝度が判定基準値未満であるか否かを判定する制御を行っている。判定基準値とは、発光部１６に照明光を発光させるべき輝度未満であるか否かの判定基準となる輝度値である。この判定基準値は、書き換え可能な状態でメモリ１９に記憶されている。そして、ＭＣＵ１５は、被写体の輝度が判定基準値以上と判定された場合には、発光部１６を格納位置のまま移動させず、一方、被写体の輝度が判定基準値未満と判定された場合には、発光部１６を格納位置から発光位置まで移動させる制御を行っている。
また、ＭＣＵ１５は、被写体の輝度に応じて照明光の発光時間を演算により求めている。そして、撮像部１１での撮像開始に同期して、演算により求めた照明光の発光時間により発光部１６から被写体に向けて照明光を照射するように制御している。
【００２９】
また、ＭＣＵ１５は、メモリ１９に記憶されている判定基準値を変更する制御を行っている。この変更は、操作部材であるセレクタダイアル７へのユーザ操作に応じて行われる。ここで、セレクタダイアル７による判定基準値の変更について説明する。図４は、判定基準値を変更する際に表示される設定画面の一例を示す説明図である。この設定画面は、液晶モニタ１８に表示された不図示のメニュー画面の項目から、判定基準値変更の項目を選択することにより表示される。
【００３０】
図４に示す設定画面２０には、設定した数値を表示するエリア２１と、後述する所定基準値の位置を「０」としたときの設定可能範囲を示すバーグラフ２２と、設定位置を示すカーソル２３とが表示されている。ここで、例えば、判定基準値のレベルを高輝度（＋）側に変更するには、セレクタダイアル７（図３）の上向きの矢印マーク７ａを所定回数押すことにより、バーグラフ２２を指し示しているカーソル２３の位置を変えることができる。また、これと連動してエリア２１にはレベルを示す数値が表示される。そして、所望のレベルを設定した時点でセレクタダイアル７のＯＫボタン７ｂを押すことにより、入力した数値のレベルを設定することができる。判定基準値のレベルを低輝度（−）側に変更する場合も同様の操作により設定することができる。このように、判定基準値のレベルを適宜に設定することにより、変更された判定基準値がＭＣＵ１５によりメモリ１９の所定エリアに記憶される。
【００３１】
上記のようにして判定基準値のレベルを変更すると、発光部１６を発光させるべき輝度の判定基準が変わるため、ユーザの要望に応じて発光部１６をポップアップさせたり、あるいはポップアップしないようにすることができる。例えば、判定基準値のレベルを高輝度側に変更した場合は、被写体の輝度が判定基準値のレベル以下であれば、通常では照明光が必要ない比較的輝度の高い被写体であっても発光部１６がポップアップして発光が行われることになる。また、判定基準値のレベルを低輝度側に変更した場合は、被写体の輝度が判定基準値のレベル未満であれば、通常では照明光が必要な比較的輝度の低い被写体であっても発光部１６がポップアップしないことになる。したがって、被写体の明るさに関係なくフラッシュ撮影したい場合や逆光で撮影する場合などでは、判定基準値のレベルを高輝度側に変更しておけばよい。また、周囲光を活かした撮影をしたい場合やフラッシュ撮影禁止の場所で撮影する場合などでは、判定基準値のレベルを低輝度側に変更しておけばよいことになる。
【００３２】
また、ＭＣＵ１５は、判定基準値と、メモリ１９に予め記憶されている所定基準値とを比較して、ユーザにより判定基準値が所定基準値よりも低輝度側に変更された場合には、撮影時の撮像感度を上げて露出制御を行う露出制御手段としての制御を行っている。ここで、所定基準値とは、発光部１６に照明光を発光させるべき輝度未満であるか否かの標準的な判定基準となる輝度値である。この所定基準値は、書き換え不可能な状態でメモリ１９に記憶されている。
【００３３】
また、ＭＣＵ１５は、発光部１６をポップアップして格納位置から発光位置に移動させたにもかかわらず、発光部１６が発光を行う前にユーザ操作により格納位置に戻された場合には、メモリ１９に記憶している判定基準値を低輝度側に変更し、また発光部１６を格納位置のまま移動させないように制御したにもかかわらず、ユーザ操作により発光部１６がポップアップされて格納位置から発光位置に移動された場合には、メモリ１９に記憶している判定基準値を高輝度側に書き換える制御を行っている。なお、上記のように自動的に判定基準値を書き換える場合は、予め設定された変更量により書き換えが行われる。このときに、低輝度側および高輝度側の変更量を同じとしてもよいし、それぞれ異なる変更量としてもよい。
【００３４】
また、ＭＣＵ１５は、上記の制御において、メモリ１９に記憶している判定基準値を書き換える前に、判定基準値の自動変更を有効とするか無効とするかを確認するための確認画面を液晶モニタ１８に表示させ、自動変更を有効とするユーザ操作が入力されたときは、メモリ１９に記憶している判定基準値を高輝度側または低輝度側に書き換え、自動変更を無効とするユーザ操作が入力されたときは、メモリ１９に記憶している判定基準値の書き換えを実行しないように制御している。
【００３５】
ここで、判定基準値の自動変更を有効とするか無効とするかを選択させるための確認画面と、その設定操作について説明する。図５は、判定基準の自動変更の有効無効を選択する際に表示される確認画面の一例を示す説明図である。この確認画面は、液晶モニタ１８に表示された不図示のメニュー画面の項目から、判定基準値自動変更の項目を選択することにより表示される。
【００３６】
図５に示す確認画面３０には、自動変更をするか否かを選択するための項目エリア３１、３２が表示されている。この確認画面３０において、図３に示すセレクタダイアル７の上向きまたは下向きの矢印マーク７ａを押すと、その操作により示された項目エリアの表示が変化する。これにより、ユーザは、現在選択されている項目エリアがどれであるかを確認することができる。図５の例では、選択された項目エリア３１が、選択されていない項目エリア３２とは異なる色に表示されている。そして、ユーザは所望の項目エリアを選択した後、セレクタダイアル７のＯＫボタン７ｂを押すことにより、その時点で選択した項目エリアを設定することができる。この確認画面３０を介して入力された設定内容は、ＭＣＵ１５によりメモリ１９により記憶され、次に確認画面３０を介して新たな設定がなされるまで保持される。
【００３７】
次に、上記のように構成された本実施形態のカメラ１において、オート撮影モードで撮影する場合の処理手順を図６のフローチャートにより説明する。なお、本実施形態のカメラ１は、フラッシュ撮影において、本発光の前に発光部１６を弱く発光させるプリ発光を行い、このプリ発光の結果から本発光の光量を演算する制御や、本発光に先立って被写体となる人の瞳が赤目状態で撮影されるのを軽減するための赤目軽減用の補助光を照射する制御などを行う機能を備えているが、以下のフローチャートではこれら制御についての説明を省略する。
【００３８】
まず、ＭＣＵ１５は、レリーズボタン６が半押しされると（Ｓ１０１でＹＥＳ）、露出制御のための測光と、焦点調節のため測距（およびレンズ駆動）を行う（Ｓ１０２）。そして、ＭＣＵ１５は、この測光により得られた測光値や、設定された撮像感度に基づいて露出値を演算し、この露出値に基づいて絞り値、シャッタスピードを設定する（Ｓ１０３）。次に、被写体の輝度が判定基準値未満かどうかを判定する（Ｓ１０４）。ここで、被写体の輝度が判定基準値未満であると判定した場合（Ｓ１０４でＹＥＳ）、ＭＣＵ１５は発光部１６をポップアップし、発光位置まで移動させる（Ｓ１０５）。
【００３９】
次に、ＭＣＵ１５は、発光部位置検出部１６ａからの検出信号に基づいて、発光部１６が発光位置にあるかどうかを判定する（Ｓ１０６）。ここでは、ユーザにより発光部１６が格納位置まで手で押し込まれたかどうかが判定される。この判定でＹＥＳであれば、すなわち発光部１６が発光位置にある場合には、ＭＣＵ１５は、フラッシュ撮影の発光に必要な照明光の発光時間を演算により求める（Ｓ１０７）。一方、ステップＳ１０６の判定でＮＯであれば、すなわちユーザにより発光部１６が格納位置まで手で押し込まれた場合、ＭＣＵ１５は、判定基準値の自動変更が有効設定となっているかどうかを判定する（Ｓ１０８）。この判定でＹＥＳであれば、ＭＣＵ１５は、判定基準値を低輝度側に書き換えて（Ｓ１０９）、後述のステップＳ１１３へ進む。また、ステップＳ１０８でＮＯである場合は、判定基準値を書き換えることなくステップＳ１１３へ進む。
【００４０】
また、ステップＳ１０４の判定でＮＯであれば、ＭＣＵ１５は発光部１６をポップアップしないように制御する。そして、ポップアップボタン４に設けられたプッシュスイッチからの信号に基づいて、ポップアップボタン４を押す操作がなされたか否かを判定する（Ｓ１１０）。この判定でＹＥＳである場合、ＭＣＵ１５は、判定基準値の自動変更が有効設定となっているかどうかを判定する（Ｓ１１１）。この判定でＹＥＳであれば、ＭＣＵ１５は、判定基準値を高輝度側に書き換えて（Ｓ１１２）、ステップＳ１０６へ進む。また、ステップＳ１１１でＮＯである場合は、判定基準値を書き換えることなくステップＳ１０７へ進む。
【００４１】
また、ステップＳ１１０の判定でＮＯであるとき、またはステップＳ１０９に続いて、ＭＣＵ１５は、メモリ１９に記憶している判定基準値が所定基準値未満かどうかを判定する（Ｓ１１３）。この判定でＹＥＳであれば、すなわちユーザにより判定基準値が所定基準値よりも低輝度側に変更された場合には、ＭＣＵ１５は、シャッタスピードが手振れ発生限界以上のシャッタスピードとなるように撮像感度を変更する（Ｓ１１４）。続いて、ＭＣＵ１５は、変更された撮像感度に基づいて露出値を演算し、この露出値に基づいて絞り値、シャッタスピードを設定する（Ｓ１１５）。このときのシャッタスピードは、手振れ発生限界以上のシャッタスピードとなるように設定される。また、ステップＳ１１３の判定でＮＯであれば、撮像感度を変更することなく、ステップ１１６へ進む。
【００４２】
そして、ＭＣＵ１５は、レリーズボタン６が全押しされると（Ｓ１１６でＹＥＳ）、ステップＳ１０３またはステップＳ１１５で設定された絞り値とシャッタスピードにより撮像部１１で被写体光を撮像させる（Ｓ１１７）。なお、ステップＳ１０６でＹＥＳであった場合は、撮像部１１による被写体の撮像と同期して発光部１６を発光させ、被写体に照明光を照射する。そして、ＭＣＵ１５は、撮像により得られた画像信号を記録媒体に記録する（Ｓ１１２）。
【００４３】
上記実施形態によれば、以下の効果を奏する。
（１）発光部１６を発光させるか否かの判定基準値を変更することができるため、ポップアップした発光部を格納位置まで手で押し込んだり、発光部１６のポップアップボタン４を押すなどの操作を行うことなしに、発光部１６を発光禁止または強制発光とすることができる。したがって、オートポップアップ機能が働くオート撮影モードでの撮影において、ユーザの意思による強制発光または発光禁止とする操作を簡素化することができる。
（２）判定基準値が所定基準値よりも低輝度側に変更された場合には、撮影時の撮像感度を上げて露出制御を行うようにしたので、発光禁止時の撮影において手振れや被写体振れの影響を軽減することができる。
（３）セレクタダイアル７などの外部操作可能な操作部材により判定基準値を任意の値に変更することができるので、ユーザは使用状況などに応じて判定基準値を所望の値に変更することができる。
（４）ポップアップさせた発光部１６をユーザが発光禁止とした場合は判定基準値を低輝度側に書き換え、ポップアップさせてないときにユーザが発光部１６を強制発光させる操作をした場合は判定基準値を高輝度側に書き換えるようにしたので、ユーザはセレクタダイアル７などの操作部材を操作することなしに判定基準値を変更することができる。
（５）上記（４）において、判定基準値の自動変更を有効とするか無効とするかをユーザ操作により選択することができるので、判定基準値の自動変更にユーザの意思を反映させることができる。
（変形形態）
【００４４】
以上説明した実施形態に限定されることなく、本発明は以下に示すような種々の変形や変更が可能であり、それらも本発明の範囲内である。
（１）上記実施形態では、ポップアップさせた発光部１６をユーザが手で格納位置まで押し込んだときに発光禁止とした場合や、ポップアップさせてないときにユーザが発光部１６を強制発光させる操作をした場合に判定基準値を自動変更するようにしているが、発光部１６への操作に限らず、特定のボタンが押されるなどの操作されたときに判定基準値を自動変更するようにしてもよい。
（２）判定基準値を高輝度側へ書き換えた場合には、手振れ発生限界以上のシャッタスピードとなる範囲内で撮像感度を下げるようにしてもよい。この場合は、通常よりも高画質の画像を得ることができる。
（３）ユーザにより変更された判定基準値、または自動変更した判定基準値は、次に変更の事象が発生するまでメモリ１９に記憶されるが、撮影毎に判定基準値を所定基準に戻すようにしてもよい。この場合に、ユーザが判定基準値を下に戻すか否かを選択できるようにしてもよい。
（４）撮像感度の自動変更の設定の有効、無効を選択できるようにしてもよい。また、自動変更する際の撮像感度をユーザの所望値とするようにしてもよい。
（５）判定基準値を自動変更する際の変更量は、予め設定された一定の変更量でもよいし、セレクタダイアル７などのユーザ操作により入力された任意の変更量であってもよい。
（６）撮影感度を変更したときは、撮影感度が上がっている（または下がっている）ことを知らせるアイコンやメッセージをファインダ３内に表示するようにしてもよい。
（７）本発明に係わるカメラはレンズ交換式の一眼レフに限定されず、レンズ鏡筒とカメラ本体とが一体化されたカメラでもよい。また、デジタルカメラに限らず、フィルム式カメラにも適用することができる。
【００４５】
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００４６】
１：カメラ、２：レンズ鏡筒、４：ポップアップボタン、６：レリーズボタン、７：セレクタダイアル、１１：撮像部、１２：画像データ処理部、１３：記録部、１４：測光部、１５：ＭＣＵ、１６：発光部、１６ａ：発光部位置検出部、１７：操作部、１８：液晶モニタ、１９：メモリ
【図１】
2010249879.tif 000003
【図２】
2010249879.tif 000004
【図３】
2010249879.tif 000005
【図４】
2010249879.tif 000006
【図５】
2010249879.tif 000007
【図６】
2010249879.tif 000008